(57)【要約】【課題】  クライアントパソコンが画像データ作成装置から画像データ取得するとき無駄な手間を掛けることなく効率的に取得する。【解決手段】  画像データ作成装置１はパソコン２の要求に応じて画像データ一覧を送信する。パソコン２は、画像データ一覧から所定の画像データを選択し、その取得と機能情報リストの提供を画像データ作成装置１に要求する。画像データ作成装置１は、当該装置において作業可能な機能情報リストをデータ通信部１６を通じてパソコン２に送信する。パソコン２は、機能情報リストから必要な作業条件の選択し、画像データ作成装置１に送信する。画像データ作成装置１は、選択された画像データをデータ蓄積部１３から読出し、データ変換部１４で選択された作業条件に従ってファイル形式変換等の変換処理を行い、及びデータ加工部１５でガンマ補正等の加工処理を行い、処理済み画像データをデータ通信部１６からパソコン２に送信する。【選択図】        図２
2005209045.tif 000002
【特許請求の範囲】
【請求項１】
クライアント装置が画像データ作成装置から該画像データ作成装置が有する画像データを取得する方法において、
画像データ作成装置から該画像データ作成装置が備えている画像処理機能情報及び画像データ一覧を取得する工程と、
取得した画像処理機能情報及び画像データ一覧から所定の画像処理機能情報及び画像データ情報を選択する工程と、
選択した画像処理機能情報及び画像データ情報を前記画像データ作成装置に送信する工程と、
前記画像データ作成装置から選択した画像処理機能情報の機能により処理された前記画像データ情報に係る画像データを取得する工程と、
を有することを特徴とする画像データ取得方法。
【請求項２】
クライアント装置のコンピュータに、
画像データ作成装置から該画像データ作成装置が備えている画像処理機能情報及び画像データ一覧を取得する手順、
取得した画像処理機能情報及び画像データ一覧から所定の画像処理機能情報及び画像データ情報を選択する手順、
選択した画像処理機能情報及び画像データ情報を前記画像データ作成装置に送信する手順、
前記画像データ作成装置から選択した画像処理機能情報の機能により処理された前記画像データ情報に係る画像データを取得する手順、
を実行させるためのプログラム。
【請求項３】
画像データ作成装置のコンピュータに、
画像データ作成装置が備えている画像処理機能情報及び画像データ一覧をクライアント装置に送信する手順、
クライアント装置で選択された画像処理機能情報及び画像データ情報を取得する手順、
画像データ情報に係る画像データを画像処理機能情報の機能により処理する手順、
処理した画像データをクライアント装置に送信する手順、
を実行させるためのプログラム。
【請求項４】
前記請求項２記載のプログラムを搭載したクライアント装置。
【請求項５】
前記請求項３記載のプログラムを搭載した画像データ作成装置。
【発明の詳細な説明】
【技術分野】
【０００１】
本発明は、クライアント装置と画像データ作成装置間で事前に画像処理機能情報及び画像データを選択し、処理した画像データをクライアント装置が画像データ作成装置から取得する方法及びプログラム並びにこのプログラムを搭載するクライアント装置及び画像データ作成装置に関する。
【背景技術】
【０００２】
LAN等のネットワーク上にデジタル複写機及びパソコン（複数）を接続し、パソコンによりデジタル複写機を共有使用することが行われている。共有使用の一形態例として、デジタル複写機の画像読取装置で読取られた画像データは複写機自体でファイリングし管理されているので、パソコンはこのファイリング管理されている画像データを読出し使用するという形態がある。この場合に画像データの効率使用という観点からの構成が十分でないとの指摘がなされていた。
【０００３】
この指摘に応えてファイリングされた画像データを有効利用する発明として、操作部からの指示によりコピー動作が開始されると、読取り部により画像が読取られ、読取られた画像データは画像処理部により画像処理が施される。画像処理された画像データは画像出力部に渡され印刷出力される。このとき前記画像処理部は、同時に画像データを画像ファイル処理部に渡し、画像ファイル処理部は画像データに使用者管理番号を付加して画像ファイルに加工し、操作部から入力された使用者管理番号に従って使用者毎に分類し、データ蓄積部に保存する。このように画像データは、コピー時に自動的にファイリングされるので、使用者はコンピュータから使用者管理番号に基いて画像データの取出し、印刷、消去などを実施することができるデジタル複写機に係る発明が公知である（特許文献１参照）。
【特許文献１】特開2000-151875号公報
【発明の開示】
【発明が解決しようとする課題】
【０００４】
近年、例えばグラフィックデータは、解像度は数10dpiから数1000dpiまで広い範囲で変換が可能であり、またファイル形式についても、TIFF、JPEG等多種の形式が開発されており、いろいろな種類のファイル形式の画像データが作成、使用可能になっている。しかしながら、現在使われている多くのデジタル複写機は、それらのファイル形式の多くの変換をカバーするように構成されていないのが現状である。つまりパソコンからデジタル複写機に対して画像データを特定のファイル形式に変換し出力することを目的にアクセスしてもユーザーが求める形式の変換機能が備えられていないケースは多々ある。従って、ユーザーは有効でないファイル形式を誤って選択してしまうことがあり、エラー警告を受けてから再度確認するという作業を行う必要である。このため所定のファイル形式のデータを取得しようとするとき作業効率がひどく悪いものになる。
【０００５】
前記特許文献１記載の発明は、画像データに使用者管理番号を付与して蓄積し、データの使用時に使用者管理番号をキーとして、蓄積した画像データをそのまま読み出すだけであるので、画像データを更に変換して使用するときなどにデータ取得の作業効率を良くすることはサポートしていない。
【０００６】
そこで本発明は、画像データ作成装置に蓄積された画像データを、画像データ作成装置が有する特定の画像処理機能により画像処理させ、処理された画像データ取得するときに、無駄な手間を掛けることなく効率的に取得できるようにすることを目的とする。
【課題を解決するための手段】
【０００７】
請求項１の発明は、クライアント装置が画像データ作成装置から該画像データ作成装置が有する画像データを取得する方法において、画像データ作成装置から該画像データ作成装置が備えている画像処理機能情報及び画像データ一覧を取得する工程と、取得した画像処理機能情報及び画像データ一覧から所定の画像処理機能情報及び画像データ情報を選択する工程と、選択した画像処理機能情報及び画像データ情報を前記画像データ作成装置に送信する工程と、前記画像データ作成装置から選択した画像処理機能情報の機能により処理された前記画像データ情報に係る画像データを取得する工程と、を有することを特徴とする画像データ取得方法である。
請求項２の発明は、  クライアント装置のコンピュータに、画像データ作成装置から該画像データ作成装置が備えている画像処理機能情報及び画像データ一覧を取得する手順、
取得した画像処理機能情報及び画像データ一覧から所定の画像処理機能情報及び画像データ情報を選択する手順、選択した画像処理機能情報及び画像データ情報を前記画像データ作成装置に送信する手順、前記画像データ作成装置から選択した画像処理機能情報の機能により処理された前記画像データ情報に係る画像データを取得する手順、を実行させるためのプログラムである。
請求項３の発明は、画像データ作成装置のコンピュータに、画像データ作成装置が備えている画像処理機能情報及び画像データ一覧をクライアント装置に送信させる手順、クライアント装置で選択された画像処理機能情報及び画像データ情報を取得する手順、画像データ情報に係る画像データを画像処理機能情報の機能により処理する手順、処理した画像データをクライアント装置に送信する手順、を実行させるためのプログラムである。
請求項４の発明は、前記請求項２記載のプログラムを搭載したクライアント装置である。
請求項５の発明は、前記請求項３記載のプログラムを搭載した画像データ作成装置である。
【発明の効果】
【０００８】
本発明によれば、クライアントパソコンは画像データ作成装置との事前の情報交換によりクライアントパソコンが要求する処理機能を有する画像データ作成装置に確実にアクセスできるので、要求する画像データを効率的に取得することができる。
【発明を実施するための最良の形態】
【０００９】
図１は、本発明の実施形態に係る画像データ作成装置が接続されるネットワークシステムの構成図であり、図中、デジタル複写機に代表される画像読取り及び画像データ蓄積機能を有する画像データ作成装置１、クライアントパソコン２及び印刷装置３はＬＡＮ等のネットワーク４上に接続されている。クライアントパソコン２は、図１ではネットワーク３上に１台のみ記載されているが実際には複数台接続され、それぞれ画像データ作成装置１に対して画像取得のリクエストを送信し、所定の画像データを取得する。以下、画像データの取得の形態を図２乃至図４を参照して詳細に説明する。
【００１０】
図２は、図１の画像データ作成装置及びクライアントパソコンの要部モジュール構成図である。図２（Ａ）に示す画像データ作成装置の要部モジュール構成図において、ユーザーI／F部１１は、画像データ作成装置１のユーザーの指示を自身の内部モジュールに伝えるユーザーインターフェースである。原稿読取り部１２は、所謂スキャナであり、原稿を光学的走査することにより原稿の反射光を光電変換し、更にＡＤ変換して画像データに変換する。
【００１１】
データ蓄積部１３はハードディスク型の蓄積装置を備え、前記画像データを原稿毎に識別番号等の画像データ情報を付与して蓄積する。
【００１２】
データ変換部１４は、データ蓄積部１３から原稿毎の画像データが読出されることにより、その画像データを本実施形態では、ＴＩＦＦ形式又は、ＪＰＥＧ形式又は、印刷用形式等のファイル形式に変換する。或いは画像データの解像度を指示された解像度へ変換する。
【００１３】
データ加工部１５は、データ蓄積部１３から原稿毎の画像データが読出されることにより、その画像データをガンマ補正し、及び／又はクリーニング（ノイズ除去）を行い、及び／又は右９０度、左９０度等の回転をさせる等の加工処理をする。
【００１４】
データ通信部１６は、クライアントパソコン２或いは印刷装置３との間でネットワーク４を介して各種命令のやり取り及び前記ファイル変換された画像データ或いは加工処理された画像データの送信を行う通信部である。
【００１５】
また図２（Ａ）のモジュール構成図では図示が省略されているが、画像データ作成装置１は例えば液晶装置により構成される操作表示部、CPU,ROM,RAM等で構成される制御部を備えている。
【００１６】
図２（Ｂ）に示すクライアントパソコンの要部モジュール構成図において、ユーザーI／F部２１は、クライアントパソコン２のユーザーの指示を自身の内部モジュールに伝えるユーザーインターフェースである。
【００１７】
データ通信部２３は、画像データ作成装置１或いは印刷装置３との間でネットワーク４を介して各種命令のやり取り及び前記ファイル変換された画像データ或いは加工処理された画像データの受信を行い、またクライアントパソコン２で修正された画像データを印刷装置３に送信する通信部である。
【００１８】
データ取得部２２は、ハードディスク型の記憶装置を有し、画像データ作成装置１から取得した画像データを蓄積する。
【００１９】
図２（Ｂ）においても図示が省略されているが、クライアントパソコン２は例えば液晶装置により構成される操作表示部、CPU,ROM,RAM等で構成される制御部、画像データの修正加工部を備えている。
【００２０】
続いて図３を参照し画像データ作成装置１とクライアントパソコン２の動作について説明する。
図３は、画像データ作成装置とクライアントパソコンとの間の処理シーケンスを示す図である。
はじめにクライアントパソコン２において画像データ取得の処理をスタートさせると、ユーザーＩ／Ｆ部２１により画像データ作成装置１から画像データ作成装置１が蓄積している画像データの一覧を取得し、ＧＵＩ上にその一覧表を表示する（ａ）。ユーザーＩ／Ｆ部２１により蓄積データ一覧表から取得対象画像データの選択と取得指示が要求されるので、ユーザーは操作表示部の操作により所定の画像データを選択しその取得を指示する（ｂ）。クライアントパソコン２は、この指示に基いてデータ通信部２３を通じ画像データ作成装置１に対し、選択された画像データについてどのような形式変換及び加工処理ができるかを示す機能情報リストを要求する（ｃ）。
【００２１】
この要求は画像データ作成装置１にそのデータ通信部１６を通じて受理される。すると画像データ作成装置１の制御部は、当該装置において作業可能な機能情報リストを、データ通信部１６を通じてクライアントパソコン２に送信させる（d、e、f）。
この機能情報リストは、本例では、画像データをＴＩＦＦ形式、ＪＰＥＧ形式、印刷用形式等のファイル形式で作成可能であること、また画像データの解像度を1000dpi、800dpi、400dpi、200dpi、100dpi等のいずれかに変換可能であること、更に画像データにガンマ補正、ノイズ除去、回転処理（右90度、左90度等）等の加工処理が可能であることの機能情報からなるものである。
【００２２】
クライアントパソコン２は、機能情報リストを受信すると、これをＧＵＩ表示する（ｇ）。この表示によりユーザーに対し作業条件の選択を要求する（ｈ）。
【００２３】
ここで機能情報リストについて述べる。
図４は、機能情報リストのＧＵＩ画面表示の例を示す図である。図４において、表示画面上、ファイル形式としてＴＩＦＦ、ＪＰＥＧ、印刷用の形式が示され、これらの中から丸枠のチェックにより選択が可能になる。解像度dpiについては、1000、800、400、200、100を示し、これらからの選択を可能にしている。更に加工処理について、回転、ノイズ除去、ガンマ補正の加工処理の選択を可能にしている。加工処理は複数の処理の選択が可能であり、画面上の四角枠にチェックを入れることにより選択を可能にしている。回転については、右又は左９０度の回転の選択を可能にしている。
【００２４】
機能情報リスト中で必要な作業条件が選択され、ＯＫマークで確認されると、図３に戻り、選択された作業条件はデータ取得要求と共に画像データ作成装置１に送信される（ｉ）。画像データ作成装置１の制御部は、データ蓄積部１３に蓄積されている画像データのうち、取得指示された画像データを読出し、選択された作業条件に従ってファイル形式変換等の変換処理、及び加工処理を行い、データ通信部１６からクライアントパソコン２に送信する（ｊ）。
【００２５】
この画像データを受取ったクライアントパソコン２は、更にユーザーにより必要な修正処理等を施し、印刷装置３に送信し印刷出力させる。
【００２６】
以上述べた画像データ取得処理をクライアント装置及び画像データ作成装置のコンピュータに実施させるために、前記処理手順を汎用のプログラム言語によりコンピュータプログラムとして記述し、かつ、このプログラムをフレキシブルディスク、CD−ROM、DVD-ROM、MO等の任意の記録媒体に記録し、これをクライアント装置及び画像データ作成装置に読取らせることで本発明に係る画像データ取得処理を容易に実施することができる。本プログラムは、記録媒体に記録する以外に、インターネット、イントラネット等の任意のネットワークを介して、それぞれの装置のコンピュータに直接読取らせることも可能である。
【００２７】
上述の実施形態は、画像データ作成装置と印刷装置が別体で構成され、画像データ作成装置とクライアントパソコンがデータのやり取りを行って最終的にクライアントパソコンが印刷装置に画像データを渡す形態をとっているが、画像データ作成装置と印刷装置が一体として構成されたデジタル複写機とクライアントパソコン間での画像データ取得形態であっても構わない。
【００２８】
本実施形態によれば、クライアントパソコン２は、画像データ取得の前に画像データ作成装置１とネゴシエーションを行い、確実に取得可能なデータ形式の画像データが取得できる画像データ作成装置にアクセスできるので、データ取得の作業効率を高めることができる。
【産業上の利用可能性】
【００２９】
本発明に係る画像データ作成装置は、ネットワークを介して複数のクライアントパソコンにより共有使用される場合に有用である。
【図面の簡単な説明】
【００３０】
【図１】図１は、本発明の実施形態に係る画像データ作成装置が接続されるネットワークシステムの構成図であり
【図２】図１の画像データ作成装置及びクライアントパソコンの要部モジュール構成図である。
【図３】画像データ作成装置とクライアントパソコン間の処理シーケンスを示す図である。
【図４】機能情報リストのＧＵＩ画面表示の例を示す図である。
【符号の説明】
【００３１】
１・・画像データ作成装置、２・・クライアントパソコン、３・・印刷装置、４・・ネットワーク、１１・・ユーザーＩ／Ｆ部、１２・・原稿読取り部、１３・・データ蓄積部、１４・・データ変換部、１５・・データ加工部、１６・・データ通信部。
【図１】
2005209045.tif 000003
【図２】
2005209045.tif 000004
【図３】
2005209045.tif 000005
【図４】
2005209045.tif 000006